(57)【要約】【課題】前掛眼鏡を安定状態でスムーズに且つ任意の角度に撥ね上げることができる撥ね上げ式眼鏡を提供する。【解決手段】眼鏡５ａに前掛眼鏡１０を、付勢連結装置１１を介して撥ね上げ可能に枢着する。付勢連結装置１１は、眼鏡１０の左右のレンズ部２ａ，２ａ相互を連結する第１の連結部３に設けられた軸受突部１５，１６と、前掛眼鏡１０の左右の補助レンズ部７，７相互を連結する第２の連結部９に設けられて両軸受突部１５，１６間に嵌め入れられる嵌入突部２１と、嵌入突部２１に設けられた収容孔２２に収容される軸体２７と、軸体２７の軸部２９が挿通されるコイルバネ３１と、押圧支持ネジ３５とを含む。押圧支持ネジ３５の螺合によって、ネジ軸部３６の先端３７が軸体２７の頭部端３９の中央部分を押圧する。この押圧によるコイルバネ３１の付勢力により、嵌入突部２１の端面３８と軸受突部１５の端面４４が弾性圧接状態となる。【選択図】図３
2011075862.tif 000002
【特許請求の範囲】
【請求項１】
目と相対する左右の枠部相互を第１の連結部で連結してなる眼鏡体と、該左右の枠部の前面をその前側で覆い得る左右の補助レンズ部相互を第２の連結部で連結してなる前掛眼鏡とを具え、該第２の連結部が、付勢連結装置を介して前記第１の連結部に枢着されると共に、該前掛眼鏡は、前記左右の補助レンズ部が前記左右の枠部の前面をその前側で覆った状態と、該左右の補助レンズ部が撥ね上げられた状態との角度範囲で回動可能となされており、
前記付勢連結装置を構成する前記第１の連結部には、その左右方向両側に軸受突部が設けられ該軸受突部間に嵌入凹部が設けられており、左右方向の孔心を合致させて、一方の軸受突部に軸挿入孔が設けられると共に他方の軸受突部にはネジ孔が設けられており、
又、前記付勢連結装置を構成する前記第２の連結部には、前記嵌入凹部に嵌め入れられる嵌入突部が設けられており、該嵌入突部は、これが前記嵌入凹部に嵌め入れられた状態で、前記軸挿入孔及び前記ネジ孔と孔心を合致させて収容孔が貫設されてなり、
該収容孔は、前記軸挿入孔側に存する小径挿入孔に、段差部を介して大径挿入孔が連設されており、
該収容孔には軸体が収容され、該軸体は、前記軸挿入孔と前記小径挿入孔に密接に挿入されて該収容孔の軸線に沿って延びる軸部の前記ネジ孔側の端部に頭部が膨設されてなり、該頭部と前記段差部との間にコイルバネが圧縮状態で介在されており、又、前記軸体と軸線を共通にする押圧支持ネジのネジ軸部が前記ネジ孔に螺合され、該ネジ軸部の先端が、前記頭部の前記ネジ孔に面する頭部端の中央部分を前記小径挿入孔に向けて押圧することによって前記コイルバネを所要の圧縮状態とする如くなされ、該コイルバネの付勢力によって、前記嵌入突部の前記一方の軸受突部側の端面と該一方の軸受突部の該嵌入突部側の端面とが互いに弾性圧接状態にあることを特徴とする撥ね上げ式眼鏡。
【請求項２】
目と相対する左右の枠部相互を第１の連結部で連結してなる眼鏡体と該左右の枠部の前面をその前側で覆い得る左右の補助レンズ部相互を第２の連結部で連結してなる前掛眼鏡とを具え、該第２の連結部が、付勢連結装置を介して前記第１の連結部に枢着されると共に、該前掛眼鏡は、前記左右の補助レンズ部が前記左右の枠部の前面をその前側で覆った状態と、該左右の補助レンズ部が撥ね上げられた状態との角度範囲で回動可能となされており、
前記付勢連結装置を構成する前記第２の連結部には、その左右方向両側に軸受突部が設けられ該軸受突部間に嵌入凹部が設けられており、左右方向の孔心を合致させて、一方の軸受突部に軸挿入孔が設けられると共に他方の軸受突部にはネジ孔が設けられており、
前記付勢連結装置を構成する前記第１の連結部には、前記嵌入凹部に嵌め入れられる嵌入突部が設けられており、該嵌入突部は、これが前記嵌入凹部に嵌め入れられた状態で、前記軸挿入孔及び前記ネジ孔と孔心を合致させて収容孔が貫設されてなり、
該収容孔は、前記軸挿入孔側に存する小径挿入孔に、段差部を介して大径挿入孔が連設されており、
該収容孔には軸体が収容され、該軸体は、前記軸挿入孔と前記小径挿入孔に密接に挿入されて該収容孔の軸線に沿って延びる軸部の前記ネジ孔側の端部に頭部が膨設されてなり、該頭部と前記段差部との間にコイルバネが圧縮状態で介在されており、又、前記軸体と軸線を共通にする押圧支持ネジのネジ軸部が前記ネジ孔に螺合され、該ネジ軸部の先端が、前記頭部の前記ネジ孔に面する頭部端の中央部分を前記小径挿入孔に向けて押圧することによって前記コイルバネを所要の圧縮状態とする如くなされ、該コイルバネの付勢力によって、前記嵌入突部の前記一方の軸受突部側の端面と該一方の軸受突部の該嵌入突部側の端面とが互いに弾性圧接状態にあることを特徴とする撥ね上げ式眼鏡。
【請求項３】
前記頭部端の中央部分は、円形凹部の底面の中央部分として形成されており、該円形凹部に前記ネジ軸部の先端部分が嵌め入れられ、該ネジ軸部の先端が該底面の中央部分を前記小径挿入孔に向けて押圧することを特徴とする請求項１又は２記載の撥ね上げ式眼鏡。
【請求項４】
前記眼鏡体を構成する前記左右の枠部が左右のレンズ部である場合において、前記左右の軸受突部が、前記第１の連結部に磁気吸着状態で着脱可能に取り付けられることを特徴とする請求項１記載の撥ね上げ式眼鏡。
【請求項５】
前記眼鏡体を構成する前記左右の枠部が左右のレンズ部である場合において、前記嵌入突部が、前記第１の連結部に磁気吸着状態で着脱可能に取り付けられることを特徴とする請求項２記載の撥ね上げ式眼鏡。
【請求項６】
前記眼鏡体を構成する左右の枠部は左右のレンズ部であることを特徴とする請求項１〜３の何れかに記載の撥ね上げ式眼鏡。
【請求項７】
前記眼鏡体を構成する左右の枠部は、レンズを具えないことを特徴とする請求項１〜３の何れかに記載の撥ね上げ式眼鏡。
【請求項８】
前記嵌入突部の前記一方の軸受突部側の端面と該一方の軸受突部の該嵌入突部側の端面とがワッシャを介して互いに弾性圧接状態にあることを特徴とする請求項１〜７の何れかに記載の撥ね上げ式眼鏡。
【発明の詳細な説明】
【技術分野】
【０００１】
本発明は、前掛眼鏡を撥ね上げ可能とした撥ね上げ式眼鏡に関するものである。より詳しくは、前掛眼鏡を、本体となる眼鏡又は枠体の上部に付勢連結装置を介して枢着することにより該前掛眼鏡を撥ね上げ可能とした撥ね上げ式眼鏡に関するものである。
【背景技術】
【０００２】
眼鏡使用者の必要に応じ、遮光眼鏡や偏光眼鏡等を掛けた状態を得る目的で或いは着用眼鏡の視力矯正を図る等の目的で、各種タイプの撥ね上げ式眼鏡が実用に供されている。  
【０００３】
これらの内、前掛眼鏡を、本体枠の上部に付勢連結装置を介して枢着することにより該前掛眼鏡を撥ね上げ可能となされると共に、該前掛眼鏡の撥ね上げ角度を無段階の任意の角度に設定できるように構成された撥ね上げ式眼鏡として、例えば実用新案登録第３１２１７３０号公報が開示するものが提案されている。
【０００４】
該撥ね上げ式眼鏡の一例としては、図２７に示すものが開示されている。該撥ね上げ式眼鏡ａは、左右の枠部ｂ，ｂ相互を第１の連結部ｃで連結してなる本体枠ｄと、該左右の枠部ｂ，ｂの前面をその前側から覆い得る左右の補助レンズ部ｅ，ｅ相互を第２の連結部ｆで連結してなる前掛眼鏡ｇとを具え、該第２の連結部ｆが前記第１の連結部ｃに付勢連結装置ｈを介して枢着されると共に、該前掛眼鏡ｇは、左右の補助レンズ部ｅ，ｅが前記左右の枠部ｂ，ｂの前面をその前側から覆った状態と、該左右の補助レンズ部ｅ，ｅが撥ね上げられた状態との角度範囲で回動可能となされている。
【０００５】
前記付勢連結装置ｈは、前記第１の連結部ｃに嵌入突部ｋを突設する一方、前記前掛眼鏡ｇの該第２の連結部ｆの左右両側に第１、第２の軸受突部ｍ，ｎを突設し、該軸受突部ｍ，ｎ間に形成される嵌入凹部ｐに前記嵌入突部ｋを嵌め入れ可能に構成されている。そして該軸受突部ｍ，ｎは、前記嵌入突部ｋ側に底部ｑ，ｒが存するように逆方向に開放されて第１の収容孔部ｓと第２の収容孔部ｔが設けられている。又前記嵌入突部ｋには、第１の軸受突部ｍ側に底面部ｕが設けられると共に第２の軸受突部ｎ側で開放する収容孔ｖが設けられている。
【０００６】
そして、該収容孔ｖの底部ｕの中央には第１のネジ孔ｗが設けられると共に、前記第１の軸受突部ｍの底部ｑには、該第１のネジ孔ｗと同心に挿通孔ｘが設けられている。又、前記第２の軸受突部ｎの底部ｒには、前記収容孔ｖと同心に第２のネジ孔ｙが設けられている。
【０００７】
そして前記第１の収容孔部ｓには、第１のネジｚのネジ軸部ａ１が、第１のワッシャｂ１と第１のコイルバネｃ１を挿通した状態で前記挿通孔ｘに挿通されると共に前記ネジ孔ｗに螺合され、この状態で該第１のコイルバネｃ１は、その両端ｄ１，ｅ１が前記第１のワッシャｂ１と前記底部ｑに圧接されて圧縮状態にある。そして前記収容孔ｖには、第２のワッシャｆ１と第３のワッシャｇ１と第２のコイルバネｈ１と第４のワッシャｊ１がこの順序で収容され、前記第２の収容孔部ｔに収容される第２のネジｋ１のネジ軸部ｍ１が前記第２のネジ孔ｙに螺合せしめられ、この状態で該第２のネジｋ１を締め付けるにつれ、該ネジ軸部ｍ１の先端で突出する押圧突部ｎ１の先端ｐ１で前記第４のワッシャｊ１を押圧できるようになされており、該第２のネジｋ１の締め付け量を調整することによって前記第２のコイルバネｈ１を所要に圧縮させ得るようになされている。
【０００８】
前記第１〜第４のワッシャｂ１，ｆ１，ｇ１，ｊ１は、第１、第２のコイルバネｃ１，ｈ１と第１、第２のネジｚ，ｋ１、前記底面部ｕとの接触を回避し、該第１、第２のネジｚ，ｋ１が前記前掛眼鏡ｇの回動に伴って共回りするのを防止するために設けられている。しかしながら、第１、第２のコイルバネｃ１，ｈ１の付勢作用によって、前記前掛眼鏡ｇの回動に伴い前記第１、第２のネジｚ，ｋ１が緩み易かった。即ち、前記第１のコイルバネｃ１の一方の端部ｅ１が前記底部ｑに接した状態にあることから、前記前掛眼鏡ｇが回動する際に該第１のコイルバネｃ１が共回りしやすい。そして、該第１のコイルバネｃ１の他方の端部ｄ１が、前記第１のワッシャｂ１を前記第１のネジｚの頭部ｓ１に向けて押圧した状態にあり、該第１のワッシャｂ１と該頭部ｓ１とは密着状態にある。従って、前掛眼鏡ｇを回動したときに該第１のワッシャｂ１と該頭部ｓ１との間で多少の滑りは期待できても、該第１のコイルバネｃ１の共回りに伴い、前記第１のネジ孔ｗに螺合状態にある第１のネジｚが緩みやすかったのである。このようなことから、前掛眼鏡ｇの回動動作が不安定化し易い問題があった。
【０００９】
又、前記公報の段落００２４には、前記第１のネジｚのネジ軸部ａ１を長く形成し、前記第２のネジｋ１の代わりに該第１のネジｚのネジ軸端部分に螺合されるナットを用いる実施例が記載されているが、かかる撥ね上げ式眼鏡においても、前記と同様、第１のネジｚが緩みやすく前記付勢連結装置ｈの動作が不安定化し易かった。又、第１のネジｚを長く形成しそのネジ軸端部分にナットを螺合し締め付ける構成であったため、前掛眼鏡の回動動作が繰り返される内に第１のネジｚの長いネジ軸部が折損しやすい問題もあった。
【先行技術文献】
【特許文献】
【００１０】
【特許文献１】実用新案登録第３１２１７３０号公報
【発明の概要】
【発明が解決しようとする課題】
【００１１】
本発明は、前記従来の問題点に鑑みて開発されたものであり、眼鏡体に装着された前掛眼鏡を安定状態でスムーズに撥ね上げることができ、然も、撥ね上げ角度を無段階の任意の角度に設定できる撥ね上げ式眼鏡の提供を課題とするものである。
【課題を解決するための手段】
【００１２】
前記課題を解決するため本発明は以下の手段を採用する。
即ち、本発明に係る撥ね上げ式眼鏡は、目と相対する左右の枠部相互を第１の連結部で連結してなる眼鏡体と、該左右の枠部の前面をその前側で覆い得る左右の補助レンズ部相互を第２の連結部で連結してなる前掛眼鏡とを具え、該第２の連結部が、付勢連結装置を介して前記第１の連結部に枢着されると共に、該前掛眼鏡は、前記左右の補助レンズ部が前記左右の枠部の前面をその前側で覆った状態と、該左右の補助レンズ部が撥ね上げられた状態との角度範囲で回動可能となされている。そして、前記付勢連結装置を構成する前記第１の連結部には、その左右方向両側に軸受突部が設けられ該軸受突部間に嵌入凹部が設けられており、左右方向の孔心を合致させて、一方の軸受突部に軸挿入孔が設けられると共に他方の軸受突部にはネジ孔が設けられている。又、前記付勢連結装置を構成する前記第２の連結部には、前記嵌入凹部に嵌め入れられる嵌入突部が設けられており、該嵌入突部は、これが前記嵌入凹部に嵌め入れられた状態で、前記軸挿入孔及び前記ネジ孔と孔心を合致させて収容孔が貫設されてなり、該収容孔は、前記軸挿入孔側に存する小径挿入孔に、段差部を介して大径挿入孔が連設されている。そして該収容孔には軸体が収容され、該軸体は、前記軸挿入孔と前記小径挿入孔に密接に挿入されて該収容孔の軸線に沿って延びる軸部の前記ネジ孔側の端部に頭部が膨設されてなり、該頭部と前記段差部との間にコイルバネが圧縮状態で介在されており、又、前記軸体と軸線を共通にする押圧支持ネジのネジ軸部が前記ネジ孔に螺合され、該ネジ軸部の先端が、前記頭部の前記ネジ孔に面する頭部端の中央部分を前記小径挿入孔に向けて押圧することによって前記コイルバネを所要の圧縮状態とする如くなされ、該コイルバネの付勢力によって、前記嵌入突部の前記一方の軸受突部側の端面と該一方の軸受突部の該嵌入突部側の端面とが互いに弾性圧接状態にあることを特徴とするものである。
【００１３】
本発明に係る撥ね上げ式眼鏡の他の態様は、目と相対する左右の枠部相互を第１の連結部で連結してなる眼鏡体と該左右の枠部の前面をその前側で覆い得る左右の補助レンズ部相互を第２の連結部で連結してなる前掛眼鏡とを具え、該第２の連結部が、付勢連結装置を介して前記第１の連結部に枢着されると共に、該前掛眼鏡は、前記左右の補助レンズ部が前記左右の枠部の前面をその前側で覆った状態と、該左右の補助レンズ部が撥ね上げられた状態との角度範囲で回動可能となされている。そして、前記付勢連結装置を構成する前記第２の連結部には、その左右方向両側に軸受突部が設けられ該軸受突部間に嵌入凹部が設けられており、左右方向の孔心を合致させて、一方の軸受突部に軸挿入孔が設けられると共に他方の軸受突部にはネジ孔が設けられている。又、前記付勢連結装置を構成する前記第１の連結部には、前記嵌入凹部に嵌め入れられる嵌入突部が設けられており、該嵌入突部は、これが前記嵌入凹部に嵌め入れられた状態で、前記軸挿入孔及び前記ネジ孔と孔心を合致させて収容孔が貫設されてなり、該収容孔は、前記軸挿入孔側に存する小径挿入孔に、段差部を介して大径挿入孔が連設されている。そして、該収容孔には軸体が収容され、該軸体は、前記軸挿入孔と前記小径挿入孔に密接に挿入されて該収容孔の軸線に沿って延びる軸部の前記ネジ孔側の端部に頭部が膨設されてなり、該頭部と前記段差部との間にコイルバネが圧縮状態で介在されており、又、前記軸体と軸線を共通にする押圧支持ネジのネジ軸部が前記ネジ孔に螺合され、該ネジ軸部の先端が、前記頭部の前記ネジ孔に面する頭部端の中央部分を前記小径挿入孔に向けて押圧することによって前記コイルバネを所要の圧縮状態とする如くなされ、該コイルバネの付勢力によって、前記嵌入突部の前記一方の軸受突部側の端面と該一方の軸受突部の該嵌入突部側の端面とが互いに弾性圧接状態にあることを特徴とするものである。
【００１４】
前記各撥ね上げ式眼鏡において、前記頭部端の中央部分を、円形凹部の底面の中央部分として形成し、該円形凹部に前記ネジ軸部の先端部分を嵌め入れ、該ネジ軸部の先端が該底面の中央部分を前記小径挿入孔に向けて押圧するように構成するのがよい。
【００１５】
前記各撥ね上げ式眼鏡において、前記眼鏡体を構成する前記左右の枠部が左右のレンズ部である場合、前記左右の軸受突部を、前記第１の連結部に磁気吸着状態で着脱可能に取り付けることがある他、前記嵌入突部を、前記第１の連結部に磁気吸着状態で着脱可能に取り付けることもある。
【００１６】
前記各撥ね上げ式眼鏡において、前記眼鏡体を構成する左右の枠部は、左右のレンズ部であることの他、レンズを具えないこともある。
【発明の効果】
【００１７】
本発明は以下の如き優れた効果を奏する。
(1) 本発明に係る撥ね上げ式眼鏡は、前掛眼鏡を眼鏡体に付勢連結装置を介して枢着する構成を採用するため、前掛眼鏡を、長期間に亘って安定状態でスムーズに撥ね上げることができ且つ下方向に回動させることができ、然も、その撥ね上げ状態を無段階の任意の角度に設定できる。そして該前掛眼鏡を、該任意の角度で保持させ得る。
【００１８】
(2) 本発明に係る前記付勢連結装置は、軸体と押圧支持ネジを、軸線を共通にして直列する構成を採用すると共に、該押圧支持ネジのネジ軸部の先端が該軸体の頭部端の中央部分を押圧する構成を採用している。従って本発明によるときは、前記従来の撥ね上げ式眼鏡とは異なり、前掛眼鏡の回動によって押圧支持ネジが緩みにくい。又、ネジ軸部が折損する恐れもない。
又、該付勢連結装置は、組み込まれているコイルバネを押圧支持ネジで所要の圧縮状態とする構成を採用している。従って本発明によるときは、該圧縮状態のコイルバネによって、前掛眼鏡の回動こわさを調整できるだけでなく、前記押圧支持ネジのネジ面と前記ネジ孔のネジ面とが圧接状態となることに伴うネジ面相互の摩擦力の増大によって押圧支持ネジが緩みにくい。
これらによって本発明によるときは、前掛眼鏡を、長期間に亘って安定状態でスムーズに回動させることができるのである。
【００１９】
(3) 前記軸体の前記頭部端の中央部分を、円形凹部の底面の中央部分として形成し、該円形凹部に前記ネジ軸部の先端部分を嵌め入れ、該ネジ軸部の先端が該底面の中央部分を前記小径挿入孔に向けて押圧する如く構成するときは、該ネジ軸部の先端部分が該円形凹部に拘束されるため、ネジ軸部の先端が該円形凹部の頭部端の中央部分から位置ずれするのを確実に防止できる。又、該ネジ軸部の先側部分の周囲で前記収容孔が例えば図４に示すように拡大しているときも、該拡大孔の孔心と該ネジ軸部の軸線とが同心状態に保持される。かかることから、前掛眼鏡の回動の際に、前記嵌入突部の該ネジ軸部側の部分が、前記嵌入凹部内でぶれる恐れがない。従って、前掛眼鏡の回動による押圧支持ネジの緩みを、より確実に防止できることとなる。
【００２０】
(4) 眼鏡体が眼鏡として構成されている場合、特に、前記左右の軸受突部や前記嵌入突部を前記第１の連結部に磁気吸着状態で着脱可能に取り付ける構成を採用するときは、該左右の軸受突部や該嵌入突部を該第１の連結部から取り外すことにより前掛眼鏡を眼鏡から取り外すことができ、該眼鏡を単独で使用できることになる。
【図面の簡単な説明】
【００２１】
【図１】本発明に係る撥ね上げ式眼鏡を、眼鏡体が眼鏡として構成された場合について示す斜視図である。
【図２】その分解斜視図である。
【図３】その付勢連結装置の構成を説明する分解斜視図である。
【図４】その付勢連結装置の構成を説明する断面図である。
【図５】その付勢連結装置を構成する軸体の頭部端の中央部分に押圧支持ネジのネジ軸部の先端が当接した状態を示す説明図である。
【図６】その頭部端の中央部分を稍外れた部位に押圧支持ネジのネジ軸部の先端が当接した状態を示す説明図である。
【図７】前掛眼鏡の撥ね上げ状態を示す部分断面側面図である。
【図８】前掛眼鏡が下ろされた状態を示す部分断面側面図である。
【図９】眼鏡体がレンズを具えない枠体として構成された撥ね上げ式眼鏡を示す斜視図である。
【図１０】その分解斜視図である。
【図１１】その撥ね上げ式眼鏡において前掛眼鏡が下ろされた状態を示す一部断面側面図である。
【図１２】その撥ね上げ式眼鏡において前掛眼鏡が撥ね上げられた状態を示す一部断面側面図である。
【図１３】本発明に係る撥ね上げ式眼鏡の他の実施例を示す斜視図と、その付勢連結装置を示す断面図である。
【図１４】付勢連結装置を構成する嵌入突部が、眼鏡体の第１の連結部に磁気吸着状態で着脱可能に取り付けられてなる撥ね上げ式眼鏡を示す部分斜視図とその断面図である。
【図１５】その付勢連結装置の構成を説明する断面図である。
【図１６】その付勢連結装置の構成を説明する分解斜視図である。
【図１７】眼鏡体の第１の連結部の下面に磁石を埋設した状態を示す斜視図である。
【図１８】その撥ね上げ式眼鏡の、前掛眼鏡が撥ね上げられた状態を示す一部断面側面図である。
【図１９】その撥ね上げ式眼鏡の、前掛眼鏡が下ろされた状態を示す一部断面側面図である。
【図２０】嵌入突部を第１の連結部に磁気吸着状態で着脱可能に取り付けた断面図である。
【図２１】付勢連結装置を構成する左右の軸受突部を、眼鏡体を構成する第１の連結部に磁気吸着状態で着脱可能に取り付け得るように構成された撥ね上げ式眼鏡を示す部分斜視図とその分解斜視図である。
【図２２】眼鏡体がレンズを具えない枠体である撥ね上げ式眼鏡であって、前記嵌入突部が前記第１の連結部に磁気吸着状態で着脱可能に取り付け得るように構成された撥ね上げ式眼鏡を示す部分斜視図である。
【図２３】眼鏡体がレンズを具えない枠体である撥ね上げ式眼鏡であって、前記左右の軸受突部が前記第１の連結部に磁気吸着状態で着脱可能に取り付け得るように構成された撥ね上げ式眼鏡を示す部分斜視図である。
【図２４】前記付勢連結装置を構成する嵌入突部を前記第１の連結部の後面に磁気吸着状態で着脱可能に取り付け得るように構成された撥ね上げ式眼鏡を示す部分断面側面図である。
【図２５】嵌入突部と軸受突部との間にワッシャを介在させた状態を、ワッシャと共に示す断面図と斜視図である。
【図２６】撥ね上げ式眼鏡を構成する眼鏡の他の態様を前掛眼鏡が下ろされた状態で示す斜視図である。
【図２７】従来の撥ね上げ式眼鏡の問題点を説明する断面図である。
【発明を実施するための形態】
【実施例１】
【００２２】
図１〜２において本発明に係る撥ね上げ式眼鏡１は、目と相対する左右の枠部２，２相互を第１の連結部３で連結してなる眼鏡体５と、該左右の枠部２，２の前面６をその前側で覆い得る左右の補助レンズ部７，７相互を第２の連結部９で連結してなる前掛眼鏡１０とを具えている。そして該第２の連結部９が、前記第１の連結部３に付勢連結装置１１を介して枢着されると共に、該前掛眼鏡１０は、図７〜８に示すように、左右の補助レンズ部７，７が前記左右の枠部２，２の前面６をその前側で覆った状態と、該左右の補助レンズ部７，７が撥ね上げられた状態との角度範囲で回動可能となされている。
【００２３】
前記眼鏡体５は本実施例においては図２に示すように、レンズ１２をリム１３で包持して構成された左右のレンズ部２ａ，２ａとしての前記左右の枠部２，２相互を前記第１の連結部３で連結してなる眼鏡５ａとして構成されている。又前記前掛眼鏡１０は、前記補助レンズ部７，７が例えば遮光レンズである遮光眼鏡として構成されている。
【００２４】
そして、前記第１の連結部３は、図２〜４に示すように、左右方向の両側に軸受突部１５，１６が設けられ、該軸受突部１５，１６間に嵌入凹部１７が設けられている。又、該両軸受突部１５，１６には、図４に示すように、左右方向の孔心を合致させて、その一方の軸受突部１５に円形の軸挿入孔１９が設けられると共にその他方の軸受突部１６にネジ孔２０が設けられている。ここに、「合致させて」とは、合致した状態乃至略合致した状態を意味する。
【００２５】
又前記第２の連結部９には、図３〜４に示すように、前記嵌入凹部１７に嵌め入れられる嵌入突部２１が設けられており、該嵌入突部２１は、これが前記嵌入凹部１７に嵌め入れられた状態で、前記軸挿入孔１９及び前記ネジ孔２０と孔心を合致させて円形の収容孔２２が貫設された状態となされている。ここに、「合致させて」とは、合致した状態乃至略合致した状態を意味する。該収容孔２２は、前記軸挿入孔１９側に存する小径挿入孔２３に、段差部２５を介して大径挿入孔２６が連設されている。
【００２６】
そして前記収容孔２２には、図３〜４に示すように、軸体２７が収容されており、該軸体２７は、前記軸挿入孔１９と前記小径挿入孔２３とに密接に挿通されて該収容孔２２の軸線に沿って延びる軸部２９の、前記ネジ孔２０側の端部に頭部３０が膨設されている。該軸体２７は、コイルバネ３１を挿通した状態で、前記収容孔２２の大径挿入孔２６の開放端３２側から小径挿入孔２３側に向けて挿入され、前記軸部２９の先側部分３３が、前記軸挿入孔１９と前記小径挿入孔２３に密接に挿通されるのである。
【００２７】
そして図３〜４に示すように、前記軸体２７と軸線を共通にする押圧支持ネジ３５のネジ軸部３６が前記ネジ孔２０に螺合されており、該ネジ軸部３６の先端３７が、前記頭部３０の、前記ネジ孔２０に面する頭部端３９の中央部分４０を前記小径挿入孔２３に向けて押圧することにより、前記コイルバネ３１を前記頭部３０と前記段差部２５との間で所要の圧縮状態とする如く構成されている。ここに、「頭部端３９の中央部分」とは、頭部端３９の中央乃至その近傍部分を意味する。本実施例においては、該頭部端３９の中央部分４０は、円形凹部４１の底面３４の中央部分４３として形成されており、該円形凹部４１に前記ネジ軸部３６の先端部分４２が嵌め入れられると共に該ネジ軸部３６の先端３７が前記底面３４の中央部分４３に点線接触乃至それに近い状態となされている。
【００２８】
前記付勢連結装置１１は、前記第１の連結部３の軸受突部１５，１６と、前記第２の連結部９の嵌入突部２１と、前記軸体２７と、前記コイルバネ３１と、前記押圧支持ネジ３５とを含んで構成されている。
【００２９】
然して、かかる構成を有する撥ね上げ式眼鏡１にあっては、図４に示すように、前記押圧支持ネジ３５の螺合によって前記コイルバネ３１が所要の圧縮状態とされているため、該コイルバネ３１の付勢力によって、前記嵌入突部２１の前記軸受突部１５側の端面３８（図３〜４）と該軸受突部１５の該嵌入突部側の端面４４（図３〜４）とが互いに弾性圧接状態とされている。
【００３０】
そして、該コイルバネ３１の両端部４５，４６の夫々が、前記段差部２５及び前記頭部３０に圧接状態にある。又、前記軸受突部１５の軸挿入孔１９に、前記軸体２７の前記嵌入突部２１から突出した突出軸部４７が挿入されると共に、他方の軸受突部１６に設けられている前記ネジ孔２０に螺合されている前記押圧支持ネジ３５のネジ軸部３６の先端部分４２が前記頭部３０の前記円形凹部４１に嵌め入れられ、該ネジ軸部３６の先端３７が該円形凹部４１の底面３４の中央部分４３に点接触乃至それに近い状態とされている。
【００３１】
然して、前記前掛眼鏡１０を撥ね上げる際や、撥ね上げられた前掛眼鏡１０を下ろす際における前掛眼鏡１０の回動動作は、前記軸体２７及び前記押圧支持ネジ３５の軸線回りに無理なく行なわれることになる。又前記押圧支持ネジ３５は、そのネジ軸部３６が前記ネジ孔２０に螺合状態にあり且つこの状態で該ネジ軸部３６が、前記コイルバネ３１の付勢力によりねじ込み方向と逆方向に押圧されるので、ネジ孔２０のネジ面とネジ軸部３６のネジ面とが圧接状態となることに伴うネジ面相互の摩擦力の増大によって押圧支持ネジ３５が緩みにくい。然も、ネジ軸部３６の先端（ネジ軸部３６の軸線方向の先端）３７が前記円形凹部４１の底面３４の中央部分（前記軸体２７の軸線上に存する）４３に点接触乃至それに近い状態となることから、軸体２７の軸線と押圧支持ネジ３５の軸線は一直線上にあり、この一直線上に、前記ネジ軸部３６の先端３７が存することになる。
【００３２】
かかることから、前記ネジ孔２０に螺合されて前記他方の軸受突部１６と一体化状態にある押圧支持ネジ３５は、前記コイルバネ３１を介して前記嵌入突部２１と一体化状態とされやすい前記軸体２７の軸線回りに回転することにはなっても、緩みにくい。従って、前掛眼鏡１０の回動が長期間に亘って安定的に確保されることになる。
【００３３】
本発明は、図５に示すように、前記押圧支持ネジ３５のネジ軸部３６の先端３７を前記頭部端３９の中央部分４０に押圧状態とするだけでも、前記軸体２７と前記押圧支持ネジ３５との軸線Ｌが一直線上にあり且つ該頭部端３９に対する該先端３７の接触部５０の中心部５０ａがこの軸線上に存し乃至その近傍に存することから、前掛眼鏡１０の回動に伴う押圧支持ネジ３５の緩みを防止できる。因みに、例えば図６に示すように、前記頭部端３９に対する前記ネジ軸部３６の先端３７の接触部５０の中心部５０ａが前記軸線Ｌから外れているとすれば、前記回動に伴い押圧支持ネジ３５が緩みやすい。但しこのような態様も、ネジ軸部３６の先端３７が頭部端３９の中央部分（中央乃至その近傍部分）を前記小径挿入孔２３に向けて押圧する構成に該当する。
【００３４】
更に図４に示すように、前記頭部端３９の中央部分に円形凹部４１を設け、該円形凹部４１に前記ネジ軸部３６の先端部分４２を嵌め入れる構成とする場合は、該ネジ軸部３６の先端部分４２が該円形凹部４１に拘束されるため、ネジ軸部３６の先端３７が該円形凹部４１の頭部端３９の中央部分から位置ずれするのを確実に防止できる。又、該ネジ軸部３６の先側部分３６ａの周囲で前記収容孔２２が例えば図４に示すように拡大しているときも、該拡大孔２２の孔心と該ネジ軸部３６の軸線とが同心状態に保持される。かかることから、前掛眼鏡１０の回動の際に、前記嵌入突部２１の該ネジ軸側の部分２１ａが、前記嵌入凹部１７内でぶれる恐れがない。従って、前掛眼鏡１０の回動による押圧支持ネジ３５の緩みを、より確実に防止できることになる。
【００３５】
特に前記のように、ネジ軸部３６の先端３７を前記円形凹部４１の底面３４の中央部分４３に点接触乃至それに近い状態とするときは、前掛眼鏡１０の回動に伴う押圧支持ネジ３５の緩みを一層効果的に防止できることになる。
【００３６】
そして前記前掛眼鏡１０の最大撥ね上げ角度は、例えば図７に示すように、前記第２の連結部９の上面５１が前記第１の連結部３の前面の傾斜面５２（図７（Ｂ）、図８（Ｂ））に当接することによって規制され、又、前記前掛眼鏡１０を、前記左右のレンズ部２ａ，２ａの前面６をその前側で覆うように下方に回動された際における角度規制は、図８に示すように、前記嵌入突部２１の前記左右の軸受突部１５，１６間の部分の前面５３が前記嵌入突部２１の後面５５（図７（Ｂ）、図８（Ｂ））と当接状態となることによって規制される。
【００３７】
かかる付勢連結装置１１を具える撥ね上げ式眼鏡１によるときは、前掛眼鏡１０をスムーズに撥ね上げることができると共に、スムーズに下方向に回動させて、前記左右の補助レンズ部７，７が前記左右のレンズ部２ａ，２ａの前面６，６をその前側で覆った状態となすことができる。そして、その撥ね上げ角度を無段階の任意の角度に設定でき、所要の撥ね上げ状態は、前記コイルバネ３１の付勢力によって前記端面３８（図１、図３〜４）と前記端面４４（図１、図３〜４）とが互いに弾性圧接状態となることに伴う摩擦力により保持される。
【００３８】
かかることから、遮光機能や、偏光機能、視力矯正機能等を有する補助レンズ部７，７を以て前記前掛眼鏡１０を構成することにより、使用者の必要に応じた撥ね上げ式眼鏡１を構成できることになる。前掛眼鏡１０を前記下ろされた状態で使用するときは、撥ね上げ式眼鏡１を、遮光眼鏡や偏光眼鏡、或いは、近眼鏡や老眼鏡等の視力矯正眼鏡等として使用することができる一方、該前掛眼鏡１０を撥ね上げた状態においては、眼鏡５ａのレンズ１２，１２を通して見ることができる。該前掛眼鏡１０は、撥ね上げられた前掛眼鏡が視野に殆ど入らない状態となるように、例えば１００〜１２０度程度の大きな角度に撥ね上げることができるが、例えば、顔を下に向けた姿勢で小さな文字を読む等の際においては、多少の撥ね上げ状態とされることもある。このように、使用者の必要に応じて前掛眼鏡１０の撥ね上げ角度を自由に設定できるのである。
【実施例２】
【００３９】
図９〜１０は、本発明に係る撥ね上げ式眼鏡１の他の実施例を示すものであり、眼鏡体５がレンズを具えない枠体５ｂである場合の一例を示している。
【００４０】
即ち、該撥ね上げ式眼鏡１は、目と相対する左右の枠部（左右方向に長い縁部２ｂ，２ｂとして構成されており、レンズを具えていない）２，２相互を第１の連結部３で連結してなる枠体５ｂとしての眼鏡体５の該第１の連結部３に対して前記前掛眼鏡１０を撥ね上げ可能に取り付けた構成を有している。該撥ね上げ式眼鏡１は、左右の枠部２，２がレンズを具えない点において前記実施例１に係る撥ね上げ式眼鏡１と相違するだけであり、前記付勢連結装置１１の構成は実施例１におけると同様であるため、その具体的な説明を省略する。
【００４１】
かかる構成の撥ね上げ式眼鏡１によるときは、使用者の必要に応じて、図１１に示すように該前掛眼鏡１０を下ろされた状態で使用する際は、これを遮光眼鏡や偏光眼鏡、或いは、近眼鏡や老眼鏡等の視力矯正眼鏡等として使用することができる一方、図１２に示すように、該前掛眼鏡１０を撥ね上げた状態においては、手元を見る際やトンネルを走行中等において裸眼視できる。
【実施例３】
【００４２】
図１３は、本発明に係る撥ね上げ式眼鏡１のその他の実施例を示すものであり、軸受突部１５，１６を前記第２の連結部９に設ける一方、嵌入突部２１を前記第１の連結部３に設けてなる。そして両軸受突部１５，１６と前記嵌入突部２１は、実施例１における場合と同様の構成を有している。同様の構成部分には、実施例１におけると同一の符号が付されている。
【００４３】
このように構成した場合も、前掛眼鏡１０は、左右の補助レンズ部７，７が前記左右のレンズ部２ａ，２ａの前面６，６をその前側で覆った状態と、該左右の補助レンズ部７，７が撥ね上げられた状態との角度範囲で回動可能である。そして前掛眼鏡１０は、所要の撥ね上げ状態で保持される。
【実施例４】
【００４４】
図１４〜１５は本発明に係る撥ね上げ式眼鏡１のその他の実施例を示すものであり、前記前掛眼鏡１０を構成する第２の連結部９の左右方向両側に軸受突部１５，１６が設けられ該軸受突部１５，１６間に嵌入凹部１７が設けられる一方、眼鏡５ａとしての眼鏡体５を構成する第１の連結部３に、該嵌入凹部１７に嵌め入れられる嵌入突部２１が設けられている。そして該嵌入突部２１は、前記第１の連結部３に磁気吸着状態で着脱可能に取り付けられるようになされており、該嵌入突部２１は、本実施例においては図１６に示すようにホルダー部５６に設けられている。
【００４５】
該ホルダー部５６は例えば樹脂製であり、その上側部分に嵌入突部２１が、後方に突出する状態で設けられている。そして前記ホルダー部５６の後側部分５７の上下には、上下の挾持片５９，６０が、対向状態で後方向に突設されており、該上下の挾持片５９，６０間に、前記第１の連結部３を嵌め入れるための収容溝６１が形成されている。本実施例においては、下の挾持片６０の上面に第１の磁石６２が、例えば接着によって固定されており、前記第１の連結部３の下面部分には、図１７に示すように、第２の磁石６３が埋設されている。該第２の磁石６３は、該第１の連結部３の下面部分に凹設した凹部６５に嵌め入れられて、例えば接着されてなり、該第２の磁石６３の下面６６と該第１の連結部３の下面６７は面一に形成されている。そして、該第２の磁石６３の下面には、前記第１の磁石６２の上面とは異極の磁性部が現れるようになされている。
【００４６】
然して、図１４（Ａ）（Ｂ）に示すように、前記収容溝６１に前記第１の連結部３を嵌め入れることにより、該第１の磁石６２と該第２の磁石６３との磁気吸着により、前記ホルダー部５６が第１の連結部３に磁気吸着状態で着脱可能に取り付けられることになる。  
【００４７】
前記左右の軸受突部１５，１６の具体的な構成及び前記嵌入突部２１の構成は実施例１における場合と同様であるため、その具体的な説明は省略し、図１５において、同一構成部分には前記と同一の符号を付している。
【００４８】
かかる構成を有する撥ね上げ式眼鏡１にあっては、図１４に示すように、前記ホルダー部５６と前記第２の連結部９とが連結された状態となっており、該ホルダー部５６を前記第１の連結部３に磁気吸着状態で取り付けることにより、所要の撥ね上げ式眼鏡１を構成できるようになっている。そして該ホルダー部５６を前記第１の連結部３から取り外すことにより、前記眼鏡５ａを独立して使用できる。
【００４９】
かかる構成の撥ね上げ式眼鏡１によるときも、図１８に示すように、前掛眼鏡１０をスムーズに撥ね上げることができると共に、スムーズに下方向に回動させて、図１９に示すように、前記左右の補助レンズ部７，７が前記左右のレンズ部２ａ，２ａの前面６，６をその前側で覆った状態となすことができる。そして、その撥ね上げ角度を任意に設定でき、所要の撥ね上げ状態を保持できる。
【００５０】
図２０は、前記嵌入突部２１を前記第１の連結部３に磁気吸着状態で着脱可能に取り付ける他の構成を示すものであり、第１の連結部３に、前記と同様にして磁石６６が埋設されているが、前記ホルダー部５６の少なくとも前記下の挾持片６０の上面は、鉄（磁力に反応する鉄製合金）とされている。これにより、該鉄製の面６７と前記磁石６６との磁気吸着により、前記収容溝６１に前記第１の連結部３が嵌め入れられた状態で前記嵌入突部２１を該第１の連結部３に磁気吸着状態で着脱可能に取り付けることができる。
【００５１】
又、ホルダー部５６の下の挾持片６０に磁石を設けるときは、前記第１の連結部３を、該磁石と吸着し得る鉄製等の磁性部として構成することもできる。或いは、該第１の連結部３に鉄製等の磁性部を設けることによって構成することもできる。
【００５２】
要は、嵌入突部２１を前記ホルダー部５６を介して、或いは該嵌入突部２１を直接的に、第１の連結部３に磁気吸着状態で着脱可能に取り付けることのできる各種構成を採用できるということである。
【００５３】
又図２１は、前記実施例における場合とは逆に、前記第１の連結部３の左右方向両側に設けられた軸受突部１５，１６間に形成された嵌入凹部１７に嵌め入れられる嵌入突部２１を前記第２の連結部９に設けた場合を示しており、その他の構成は前記実施例１における場合と同様である。
【００５４】
図２２、図２３は、前記嵌入突部２１又は左右の軸受突部１５，１６を第１の連結部３に磁気吸着状態で着脱可能に取り付けてなる撥ね上げ式眼鏡１のその他の実施例を示すものであり、眼鏡体５が、前記と同様、レンズを具えない枠体５ｂとして構成されている。  
【００５５】
図２４は、本発明に係る撥ね上げ式眼鏡１のその他の実施例を示すものであり、ホルダー部５６の上部分に、後方に向けて斜め下方に屈曲する屈曲片７９が設けられた上片８０が突設されると共に、該屈曲片７９の内面に磁石６６が設けられる一方、前記第１の連結部３には、該磁石６６と吸着し得る磁性部（磁石又は鉄製部）８１が設けられており、該ホルダー部５６を第１の連結部３に磁気吸着状態で着脱可能に取り付けることができる。これにより、前記嵌入突部２１又は軸受突部１５，１６を該第１の連結部３に磁気吸着状態で着脱可能に取り付けることができる。
【実施例５】
【００５６】
本発明は、前記実施例で示したものに限定されるものでは決してなく、「特許請求の範囲」の記載内で種々の設計変更が可能であることはいうまでもない。その一例を挙げれば次のようである。
【００５７】
(1) 図２５は、前記第１の連結部３と前記第２の連結部９が例えばチタン製である場合において、前記嵌入突部２１の前記軸受突部１５側の端面３８（図３〜４）と該軸受突部１５の該嵌入突部側の端面４４（図３〜４）とが食い付き状態（摩擦力が異常に大きくなって端面３８，４４相互が滑りにくい状態）となることなく所要の弾性圧接状態が得られるようにするために、該両端面３８，４４間に、洋白等からなるワッシャ８２を介在させた場合を示している。該ワッシャ８２は、該両端面３８，４４間に介在される円板状ワッシャ片８３に円筒部８５を同心に突設してなり、該円筒部８５を、前記端面３８に設けられてなる、前記小径挿入孔２３と同心に凹設された円環状溝８３に嵌め入れることにより、該円板状ワッシャ片８３が位置ずれすることなく該両端面３８，４４間に介在されるようになされている。該円筒部８５は省略されることもある。
【００５８】
(2) 前記レンズ部２ａは、前記実施例においては、レンズ１２をリム１３で包持した構成を有しているが、例えば図２６に示すような、レンズ１２の上縁部分８６に取り付く縁枠８７の両端部８９，８９に、該レンズ１２の下縁に取り付けられたコード９０の端部分９１を止着してなる縁無し眼鏡として構成されることもある。
【００５９】
(3) 前掛眼鏡１０は、左右の補助レンズ部７，７が一連に連なったものとして、例えばプラスチック製サングラスとして構成されることもある。
【符号の説明】
【００６０】
１  撥ね上げ式眼鏡
２  枠部
３  第１の連結部
５  眼鏡体
６  左右の枠部の前面
７  補助レンズ部
９  第２の連結部
１０  前掛眼鏡
１１  付勢連結装置
１２  レンズ
１３  リム
１５  軸受突部
１６  軸受突部
１７  嵌入凹部
１９  軸挿入孔
２０  ネジ孔
２１  嵌入突部
２２  収容孔
２３  小径挿入孔
２５  段差部
２６  大径挿入孔
２７  軸体
２９  軸部
３０  頭部
３１  コイルバネ
３３  軸部の先側部分
３４  円形凹部の底面
３５  押圧支持ネジ
３６  ネジ軸部
３７  ネジ軸部の先端
３９  頭部端
４０  頭部端の中央部分
４１  円形凹部
４２  ネジ軸部の先端部分
４３  円形凹部の底面の中央部分
４５  コイルバネの端部
４６  コイルバネの端部
５０  接触部
５６  ホルダー部
５９  上の挾持片
６０  下の挾持片
６１  収容溝
６２  第１の磁石
６３  第２の磁石
６６  磁石
【図１】
2011075862.tif 000003
【図２】
2011075862.tif 000004
【図３】
2011075862.tif 000005
【図４】
2011075862.tif 000006
【図５】
2011075862.tif 000007
【図６】
2011075862.tif 000008
【図７】
2011075862.tif 000009
【図８】
2011075862.tif 000010
【図９】
2011075862.tif 000011
【図１０】
2011075862.tif 000012
【図１１】
2011075862.tif 000013
【図１２】
2011075862.tif 000014
【図１３】
2011075862.tif 000015
【図１４】
2011075862.tif 000016
【図１５】
2011075862.tif 000017
【図１６】
2011075862.tif 000018
【図１７】
2011075862.tif 000019
【図１８】
2011075862.tif 000020
【図１９】
2011075862.tif 000021
【図２０】
2011075862.tif 000022
【図２１】
2011075862.tif 000023
【図２２】
2011075862.tif 000024
【図２３】
2011075862.tif 000025
【図２４】
2011075862.tif 000026
【図２５】
2011075862.tif 000027
【図２６】
2011075862.tif 000028
【図２７】
2011075862.tif 000029